(57)【特許請求の範囲】
【請求項１】
複数の移載部に設けられる固定側光伝送装置と複数の移動体に設置される移動側光伝送装置との間で信号の空間光伝送を行う空間光伝送装置において、
該固定側光伝送装置は、該移載部の移載制御装置に接続される入出力ユニットと、該移載部の移載制御装置の入出力ユニットから送られる伝送データ信号を空間光に重畳して該移動側光伝送装置に送信し、該移動側光伝送装置から空間光に重畳して送信された信号を受信する光伝送ユニットと、を備え、
該複数の固定側光伝送装置における各入出力ユニットと各光伝送ユニットとが、全て１対のデータ線と１対の電源線のみのシリアル通信ケーブルにより接続され、該各固定側光伝送装置の入出力ユニットと光伝送ユニットに、各々個別の識別番号が設定され、
各固定側光伝送装置の該入出力ユニットは、該移載制御装置から伝送データ信号が送られたとき、該識別番号を該伝送データ信号に付して該シリアル通信ケーブルに送出する一方、該シリアル通信ケーブルを通して伝送データ信号の取り込み要求があったとき、該入出力ユニットの識別番号と同じ識別番号の伝送データ信号を該シリアル通信ケーブルから取り込み、
各固定側光伝送装置の該光伝送ユニットは、該移動側光伝送装置から空間光に重畳して送信された信号を受信したとき、識別番号を該伝送データ信号に付して該シリアル通信ケーブルに送出する一方、該シリアル通信ケーブルを通して伝送データ信号の取り込み要求があったとき、該光伝送ユニットの識別番号と同じ識別番号の伝送データ信号を該シリアル通信ケーブルから取り込み、空間光に重畳して該移動側光伝送装置に送信することを特徴とする空間光伝送装置。
【請求項２】
前記固定側光伝送装置の入出力ユニット及び光伝送ユニットは、伝送データ信号をシリアル通信ケーブルに出力するために通信を開始する際、識別番号を付した接続要求信号をシリアル通信ケーブルに送信し、該シリアル通信ケーブルを通して自己の識別番号と同じ識別番号を付した接続要求信号を受信した光伝送ユニットまたは入出力ユニットは、該識別番号を付した接続応答信号を該シリアル通信ケーブルに送信し、該入出力ユニット及び光伝送ユニットは自己の識別番号と同じ識別番号を付した接続応答信号を受信したとき、通信を開始する一方、該光伝送ユニットまたは入出力ユニットは、自己と同じ識別番号を付した接続要求信号が重複して該シリアル通信ケーブルに送信されたとき、中断信号を送信することを特徴とする請求項１記載の空間光伝送装置。
【請求項３】
前記固定側光伝送装置の入出力ユニットは、予め設定された送信優先または受信優先を示す送受信優先信号を、前記光伝送ユニットに対し出力し、該光伝送ユニットは、該送受信優先信号に応じて光信号の送受信のタイミングを調整することを特徴とする請求項１または２記載の空間光伝送装置。
【請求項４】
前記固定側光伝送装置の入出力ユニットは、前記移載制御装置から送信停止信号が送られたとき、光伝送を停止する送信停止信号を、前記シリアル通信ケーブルを通して前記光伝送ユニットに直ちに出力し、該光伝送ユニットは該送信停止信号の入力時、伝送データ信号の送信を停止することを特徴とする請求項１乃至３記載の空間光伝送装置。
【請求項５】
前記固定側光伝送装置の入出力ユニットは、受光状態の良否を示す受光良否信号を発生し、受光不良を示す信号を前記光伝送ユニットから受信したとき、その受光不良信号を前記移載制御装置に出力することを特徴とする請求項１乃至４記載の空間光伝送装置。
【請求項６】
前記固定側光伝送装置の入出力ユニットには、不揮発性メモリが設けられ、伝送データ信号、送受信優先信号、送信停止信号、受光良否信号を監視し、それらの信号が変化したとき、変化した信号をその時刻と共にログデータとして該不揮発性メモリに記憶することを特徴とする請求項１乃至５記載の空間光伝送装置。
【請求項７】
前記シリアル通信ケーブルにロギング装置が接続され、該ロギング装置は、該シリアル通信ケーブルを通して前記伝送データ信号、送受信優先信号、送信停止信号、受光良否信号を取り込むようにし、外部からログデータの読み出し要求があったとき、前記入出力ユニットの前記不揮発性メモリから読み出されたログデータを、該シリアル通信ケーブルを通して取り込み、外部のログデータ解析手段に送出することを特徴とする請求項６記載の空間光伝送装置。
【請求項８】
複数の移載部に設けられる固定側光伝送装置と複数の移動体に設置される移動側光伝送装置との間で信号の空間光伝送を行う空間光伝送装置において、
該固定側光伝送装置は、該移載部の移載制御装置に接続される入出力ユニットと、該移載部の移載制御装置の入出力ユニットから送られる伝送データ信号を空間光に重畳して該移動側光伝送装置に送信し、該移動側光伝送装置から空間光に重畳して送信された信号を受信する光伝送ユニットと、を備え、
該複数の固定側光伝送装置における各入出力ユニットと各光伝送ユニットとが、全て１対のデータ線と１対の電源線のみのシリアル通信ケーブルにより接続され、該各固定側光伝送装置の入出力ユニットと光伝送ユニットに、各々個別の識別番号が設定され、
通信可能な通信相手の該識別番号を含む通信チャンネルに関するデータを予め記憶する通信制御装置が該シリアル通信ケーブルに接続され、該通信制御装置は、前記入出力ユニットまたは光伝送ユニットから送信された、通信チャンネルに関するデータの問合せ信号を受信したとき、通信可能な通信相手の該識別番号を含む通信チャンネルに関するデータを、該入出力ユニットまたは光伝送ユニットに送信し、
該入出力ユニット及び光伝送ユニットは、該通信制御装置から送られた通信可能な通信相手の該識別番号を含む通信チャンネルに関するデータに基づき、通信相手を決定して通信を行い、
各固定側光伝送装置の該入出力ユニットは、該移載制御装置から伝送データ信号が送られたとき、該識別番号を該伝送データ信号に付して該シリアル通信ケーブルに送出する一方、該シリアル通信ケーブルを通して伝送データ信号の取り込み要求があったとき、該通信可能な通信相手の識別番号を持つ該光伝送ユニットの伝送データ信号を該シリアル通信ケーブルから取り込み、
各固定側光伝送装置の該光伝送ユニットは、該移動側光伝送装置から空間光に重畳して送信された信号を受信したとき、識別番号を該伝送データ信号に付して該シリアル通信ケーブルに送出する一方、該シリアル通信ケーブルを通して伝送データ信号の取り込み要求があったとき、該通信可能な通信相手の識別番号を持つ該入出力ユニットの伝送データ信号を該シリアル通信ケーブルから取り込み、空間光に重畳して該移動側光伝送装置に送信することを特徴とする空間光伝送装置。
【請求項９】
前記固定側光伝送装置の入出力ユニット及び光伝送ユニットは、伝送データ信号をシリアル通信ケーブルに出力するために通信を開始する際、自己の識別番号と前記通信可能な通信相手の識別番号を付した接続要求信号を、該シリアル通信ケーブルに送信し、該シリアル通信ケーブルを通して該通信可能な通信相手の識別番号を付した接続要求信号を受信した光伝送ユニットまたは入出力ユニットは、該自己の識別番号を付した接続応答信号を該シリアル通信ケーブルに送信し、該入出力ユニット及び光伝送ユニットは通信可能な通信相手の識別番号を付した接続応答信号を受信したとき、通信を開始する一方、該光伝送ユニットまたは入出力ユニットは、自己と同じ識別番号を付した接続要求信号が重複して該シリアル通信ケーブルに送信されたとき、中断信号を送信することを特徴とする請求項８記載の空間光伝送装置。
【請求項１０】
前記シリアル通信ケーブルに接続された通信制御装置は、ログデータを取り込むロギング機能を有したロギング兼通信制御装置として構成され、該ロギング兼通信制御装置は、該シリアル通信ケーブルを通して前記伝送データ信号、送受信優先信号、送信停止信号、受光良否信号を取り込むようにし、外部からログデータの読み出し要求があったとき、前記入出力ユニットの前記不揮発性メモリから読み出されたログデータを、該シリアル通信ケーブルを通して取り込み、外部のログデータ解析手段に送出することを特徴とする請求項８記載の空間光伝送装置。
【発明の詳細な説明】
【技術分野】
【０００１】
本発明は、複数の移載部の固定側光伝送装置と複数の移動体の移動側光伝送装置との間で空間光伝送を行う空間光伝送装置に関する。
【背景技術】
【０００２】
例えば、シリコンウエハー等の製造ラインでは、多数のロードポートが製造工程に沿って順に配置され、各ロードポートに対し、半導体等を収納したＦＯＵＰを搬送するために、天井走行レール上を走行可能に移動台車が設けられる。移動台車には昇降機構を介してチャック機構が設けられ、チャック機構によりＦＯＵＰを把持して、各ロードポートまで順に搬送し、ＦＯＵＰ内の半導体等の被処理物に対し各種の処理を施すようになっている。
【０００３】
また、半導体等製造装置では、各ロードポートにＰＬＣ等の移載制御装置が設置され、各ロードポートにおける被処理物の処理動作を移載制御装置により制御すると共に、移載制御装置は、移動台車から被処理物を受け取りまたは受け渡す際、移動台車との間で必要なデータを送受信し、被処理物の移載制御を行う。
【０００４】
このような各ロードポートの移載制御装置と移動台車間の通信手段として、各ロードポートに固定側光伝送装置を設置する一方、移動台車側に移動側光伝送装置を設置し、被処理物の移載に必要なデータを、固定側光伝送装置と移動側光伝送装置間で、空間光を介して双方向伝送し、被処理物の移載制御を行う空間光伝送装置が、下記特許文献１などで知られている。
【先行技術文献】
【特許文献】
【０００５】
【特許文献１】特開２００５−２９４６３号公報
【発明の概要】
【発明が解決しようとする課題】
【０００６】
各ロードポートの固定側光伝送装置は、通常、移載制御装置のパラレル信号を入力し、受信したパラレル信号を移載制御装置に出力するように構成され、移動側光伝送装置から空間光に重畳して送られた受信信号を復調して、移載制御装置の入出力回路に出力し、移載制御装置の入出力回路から送られたパラレル信号を、空間光に重畳させて移動側光伝送装置に受信するように動作する。このため、固定側光伝送装置と移載制御装置の入出力回路間には、通常、８本のデータ入力線、８本のデータ出力線、３本の制御用線、及び２本の電源線など２０本を越える接続線が接続される。
【０００７】
このため、特に、半導体等製造ラインのように、多数のロードポートが移動体の天井走行レールに沿って設置される場合、それらのロードポートでは多数本の接続線を有するケーブルを地上から天井まで長く布設する必要がある。
【０００８】
つまり、図１０に示すように、各ロードポート５０には、ＰＬＣ等の移載制御装置５１が地上部に配設され、天井付近には固定側光伝送装置５４が設けられ、天井走行レール５５上を走行する移動台車５２の移動側光伝送装置５３との間で空間光伝送を行うようになっており、移載制御装置５１側の入出力回路５１ａと天井付近の固定側光伝送装置５４との間に、パラレル方式のケーブルが布設されている。
【０００９】
このため、多数のロードポート５０において、固定側光伝送装置では、移載制御装置５１の入出力回路５１ａと固定側光伝送装置５４間に、地上から天井付近まで、多数の接続線５６を芯線とする大径のケーブルを各々のロードポートで配線する必要があり、布設工事や配線作業が非常に煩雑化し、配線のための設備費や施工費が増大する課題があった。
【００１０】
本発明は、上述の課題を解決するものであり、複数の移載部に設置される固定側光伝送装置への接続線の本数を最少にして、配線のための設備費や施工費を低減することができる空間光伝送装置を提供することを目的とする。
【課題を解決するための手段】
【００１１】
本発明に係る空間光伝送装置は、複数の移載部に設けられる固定側光伝送装置と複数の移動体に設置される移動側光伝送装置との間で信号の空間光伝送を行う空間光伝送装置において、
該固定側光伝送装置は、該移載部の移載制御装置に接続される入出力ユニットと、該移載部の移載制御装置の入出力ユニットから送られる伝送データ信号を空間光に重畳して該移動側光伝送装置に送信し、該移動側光伝送装置から空間光に重畳して送信された信号を受信する光伝送ユニットと、を備え、
該複数の固定側光伝送装置における各入出力ユニットと各光伝送ユニットとが、全て１対のデータ線と１対の電源線のみのシリアル通信ケーブルにより接続され、該各固定側光伝送装置の入出力ユニットと光伝送ユニットに、各々個別の識別番号が設定され、
各固定側光伝送装置の該入出力ユニットは、該移載制御装置から伝送データ信号が送られたとき、該識別番号を該伝送データ信号に付して該シリアル通信ケーブルに送出する一方、該シリアル通信ケーブルを通して伝送データ信号の取り込み要求があったとき、該入出力ユニットの識別番号と同じ識別番号の伝送データ信号を該シリアル通信ケーブルから取り込み、
各固定側光伝送装置の該光伝送ユニットは、該移動側光伝送装置から空間光に重畳して送信された信号を受信したとき、識別番号を該伝送データ信号に付して該シリアル通信ケーブルに送出する一方、該シリアル通信ケーブルを通して伝送データ信号の取り込み要求があったとき、該光伝送ユニットの識別番号と同じ識別番号の伝送データ信号を該シリアル通信ケーブルから取り込み、空間光に重畳して該移動側光伝送装置に送信することを特徴とする。
【００１２】
この発明によれば、例えば半導体やシリコンウエハー等の製造ラインのように、上方を移動する移動体（搬送台車）の移動領域に沿って多数の移載部（ロードポート）が床上に設置され、各移載部に移載制御装置が設けられ、移載制御装置に固定側光伝送装置が接続される場合、各移載部の固定側光伝送装置の入出力ユニット及び光伝送ユニットが全て１対のデータ線と１対の電源線のみのシリアル通信ケーブルによりシリアル方式で接続されるので、従来のように、各移載部において、床上に位置する固定側光伝送装置の入出力ユニットから上方に位置する光伝送ユニットまで、パラレル方式の多数の接続線を有する太径ケーブルを上下に長く配線する必要がない。このため、配線ケーブルの布設工事や配線作業が非常に簡単化されて、その工事を短期間で行うことができ、配線のための設備費や施工費を大きく低減することができる。
【００１３】
ここで、上記固定側光伝送装置の入出力ユニット及び光伝送ユニットは、伝送データ信号をシリアル通信ケーブルに出力するために通信を開始する際、識別番号を付した接続要求信号をシリアル通信ケーブルに送信し、該シリアル通信ケーブルを通して自己の識別番号と同じ識別番号を付した接続要求信号を受信した光伝送ユニットまたは入出力ユニットは、該識別番号を付した接続応答信号を該シリアル通信ケーブルに送信し、該入出力ユニット及び光伝送ユニットは自己の識別番号と同じ識別番号を付した接続応答信号を受信したとき、通信を開始する一方、該光伝送ユニットまたは入出力ユニットは、自己と同じ識別番号を付した接続要求信号が重複して該シリアル通信ケーブルに送信されたとき、中断信号を送信するように構成することができる。
【００１４】
この発明によれば、各移載部における同じ固定側光伝送装置の入出力ユニットと光伝送ユニット間で、シリアル通信ケーブルを介して、信号衝突のない正確な伝送データ信号の伝送を行うことができる。
【００１５】
また、上記固定側光伝送装置の入出力ユニットは、予め設定された送信優先または受信優先を示す送受信優先信号を、前記光伝送ユニットに対し出力し、該光伝送ユニットは、該送受信優先信号に応じて光信号の送受信のタイミングを調整するように構成することができる。
【００１６】
この発明によれば、各移載部において、固定側光伝送装置と移動側光伝送装置との間で信号の衝突を回避して、半二重双方向方式の通信を正確に行うことができる。
【００１７】
また、上記固定側光伝送装置の入出力ユニットは、移載制御装置から送信停止信号が送られたとき、光伝送を停止する送信停止信号を、シリアル通信ケーブルを通して光伝送ユニットに直ちに出力し、該光伝送ユニットは該送信停止信号の入力時、伝送データ信号の送信を停止するように構成することができる。
【００１８】
この発明によれば、各移載部において、固定側光伝送装置と移動側光伝送装置間で通信を行う間、送信停止原因の発生時には、直ちに光伝送を停止することができる。
【００１９】
また、上記固定側光伝送装置の入出力ユニットは、受光状態の良否を示す受光良否信号を発生し、受光不良を示す信号を光伝送ユニットから受信したとき、その受光不良信号を移載制御装置に出力するように構成することができる。
【００２０】
この発明によれば、各移載部において、固定側光伝送装置と移動側光伝送装置間で投光・受光される空間光が何らの理由で遮光された場合、固定側光伝送装置の入出力ユニットは、直ちに信号を移載制御装置に送信し、その移載制御動作を停止させることができる。
【００２１】
また、上記固定側光伝送装置の入出力ユニットには、不揮発性メモリが設けられ、伝送データ信号、送受信優先信号、送信停止信号、受光良否信号を監視し、それらの信号が変化したとき、変化した信号をその時刻と共にログデータとして不揮発性メモリに記憶するように構成することができる。
【００２２】
この発明によれば、各移載部や固定側光伝送装置などに異常が発生したとき、不揮発性メモリに記憶されたログデータを読み出し、異常動作の解析を行うことができる。
【００２３】
また、上記シリアル通信ケーブルにロギング装置を接続し、該ロギング装置は、該シリアル通信ケーブルを通して上記伝送データ信号、送受信優先信号、送信停止信号、受光良否信号を取り込むようにし、外部からログデータの読み出し要求があったとき、上記入出力ユニットの不揮発性メモリから読み出されたログデータを、シリアル通信ケーブルを通して取り込み、外部のログデータ解析手段に送出するように構成することができる。
【００２４】
この発明によれば、各移載部の固定側光伝送装置における伝送データ信号、送受信優先信号、送信停止信号、受光良否信号の状態を示すログデータを、シリアル通信ケーブルに接続した１箇所のロギング装置により、簡単に取り出すことができ、多数の移載部に多数の固定側光伝送装置が設置された場合であっても、各固定側光伝送装置の入出力ユニットにロギング装置を接続することなく、当該固定側光伝送装置の入出力ユニットを指定してそのログデータを読み出し、その原因の解析に役立てることができる。
【００２５】
さらに、本発明に係る別の空間光伝送装置は、
複数の移載部に設けられる固定側光伝送装置と複数の移動体に設置される移動側光伝送装置との間で信号の空間光伝送を行う空間光伝送装置において、
該固定側光伝送装置は、該移載部の移載制御装置に接続される入出力ユニットと、該移載部の移載制御装置の入出力ユニットから送られる伝送データ信号を空間光に重畳して該移動側光伝送装置に送信し、該移動側光伝送装置から空間光に重畳して送信された信号を受信する光伝送ユニットと、を備え、
該複数の固定側光伝送装置における各入出力ユニットと各光伝送ユニットとが、全て１対のデータ線と１対の電源線のみのシリアル通信ケーブルにより接続され、該各固定側光伝送装置の入出力ユニットと光伝送ユニットに、各々個別の識別番号が設定され、
通信可能な通信相手の該識別番号を含む通信チャンネルに関するデータを予め記憶する通信制御装置が該シリアル通信ケーブルに接続され、該通信制御装置は、前記入出力ユニットまたは光伝送ユニットから送信された、通信チャンネルに関するデータの問合せ信号を受信したとき、通信可能な通信相手の該識別番号を含む通信チャンネルに関するデータを、該入出力ユニットまたは光伝送ユニットに送信し、
該入出力ユニット及び光伝送ユニットは、該通信制御装置から送られた通信可能な通信相手の該識別番号を含む通信チャンネルに関するデータに基づき、通信相手を決定して通信を行い、
各固定側光伝送装置の該入出力ユニットは、該移載制御装置から伝送データ信号が送られたとき、該識別番号を該伝送データ信号に付して該シリアル通信ケーブルに送出する一方、該シリアル通信ケーブルを通して伝送データ信号の取り込み要求があったとき、該通信可能な通信相手の識別番号を持つ該光伝送ユニットの伝送データ信号を該シリアル通信ケーブルから取り込み、
各固定側光伝送装置の該光伝送ユニットは、該移動側光伝送装置から空間光に重畳して送信された信号を受信したとき、識別番号を該伝送データ信号に付して該シリアル通信ケーブルに送出する一方、該シリアル通信ケーブルを通して伝送データ信号の取り込み要求があったとき、該通信可能な通信相手の識別番号を持つ該入出力ユニットの伝送データ信号を該シリアル通信ケーブルから取り込み、空間光に重畳して該移動側光伝送装置に送信することを特徴とする。
【００２６】
この発明によれば、例えば半導体やシリコンウエハー等の製造ラインのように、上方を移動する移動体（搬送台車）の移動領域に沿って多数の移載部（ロードポート）が床上に設置され、各移載部に移載制御装置が設けられ、移載制御装置に固定側光伝送装置が接続される場合、各移載部の固定側光伝送装置の入出力ユニット及び光伝送ユニットが全て１対のデータ線と１対の電源線のみのシリアル通信ケーブルによりシリアル方式で接続されるので、従来のように、各移載部において、床上に位置する固定側光伝送装置の入出力ユニットから上方に位置する光伝送ユニットまで、パラレル方式の多数の接続線を有する太径ケーブルを上下に長く配線する必要がない。このため、配線ケーブルの布設工事や配線作業が非常に簡単化されて、その工事を短期間で行うことができ、配線のための設備費や施工費を大きく低減することができる。
【００２７】
また、固定側光伝送装置の入出力ユニット及び光伝送ユニットがシリアル通信ケーブルを通して通信可能な入出力ユニットまたは光伝送ユニットは、通信制御装置に記憶される、通信可能な通信相手の識別番号を含む通信チャンネルに関するデータにより決定されるので、設備が増設されたような場合、通信制御装置に記憶される通信チャンネル用のデータを書き換えれば、簡単に入出力ユニットまたは光伝送ユニットが通信可能な通信相手を変更することができる。
【００２８】
さらに、上記空間光伝送装置において、
上記固定側光伝送装置の入出力ユニット及び光伝送ユニットは、伝送データ信号をシリアル通信ケーブルに出力するために通信を開始する際、自己の識別番号と前記通信可能な通信相手の識別番号を付した接続要求信号を、該シリアル通信ケーブルに送信し、該シリアル通信ケーブルを通して該通信可能な通信相手の識別番号を付した接続要求信号を受信した光伝送ユニットまたは入出力ユニットは、該自己の識別番号を付した接続応答信号を該シリアル通信ケーブルに送信し、該入出力ユニット及び光伝送ユニットは通信可能な通信相手の識別番号を付した接続応答信号を受信したとき、通信を開始する一方、該光伝送ユニットまたは入出力ユニットは、自己と同じ識別番号を付した接続要求信号が重複して該シリアル通信ケーブルに送信されたとき、中断信号を送信するように構成することができる。
【００２９】
この発明によれば、各移載部における同じ固定側光伝送装置の入出力ユニットと光伝送ユニット間で、シリアル通信ケーブルを介して、信号衝突のない正確な伝送データ信号の伝送を行うことができる。
【００３０】
さらに、上記空間光伝送装置において、
上記シリアル通信ケーブルに接続された通信制御装置は、ログデータを取り込むロギング機能を有したロギング兼通信制御装置として構成され、該ロギング兼通信制御装置は、該シリアル通信ケーブルを通して前記伝送データ信号、送受信優先信号、送信停止信号、受光良否信号を取り込むようにし、外部からログデータの読み出し要求があったとき、前記入出力ユニットの前記不揮発性メモリから読み出されたログデータを、該シリアル通信ケーブルを通して取り込み、外部のログデータ解析手段に送出するように構成することができる。
【００３１】
この発明によれば、各移載部の固定側光伝送装置における伝送データ信号、送受信優先信号、送信停止信号、受光良否信号の状態を示すログデータを、シリアル通信ケーブルに接続した１箇所のロギング兼通信制御装置により、簡単に取り出すことができ、多数の移載部に多数の固定側光伝送装置が設置された場合であっても、各固定側光伝送装置の入出力ユニットにロギング装置を接続することなく、当該固定側光伝送装置の入出力ユニットを指定してそのログデータを読み出し、その原因の解析に役立てることができる。
【発明の効果】
【００３２】
本発明に係る空間光伝送装置によれば、複数の移載部に設置される移載制御装置と固定側光伝送装置間の接続線の本数を、最少にして配線のための設備費や施工費を大幅に低減することができる。
【図面の簡単な説明】
【００３３】
【図１】本発明の一実施形態を示す空間光伝送装置の全体構成図である。
【図２】同空間光伝送装置の入出力ユニットの構成ブロック図である。
【図３】同空間光伝送装置の光伝送ユニットの構成ブロック図である。
【図４】（ａ）はパケットデータの説明図、（ｂ）はデータＩＤと各入出力ユニット、光伝送ユニットの割り当てを示す図表である。
【図５】ロギング装置の構成ブロック図である。
【図６】入出力ユニットと光伝送ユニット間の通常時の通信動作を示すフローチャートである。
【図７】入出力ユニットと光伝送ユニット間の信号衝突時のフローチャートである。
【図８】他の実施形態の空間光伝送装置の全体構成図である。
【図９】（ａ）（ｂ）は他の実施形態の通信チャンネル用データテーブルの説明図である。
【図１０】従来のロードポートの空間光伝送装置を示す説明図である。
【発明を実施するための形態】
【００３４】
以下、本発明の一実施形態を図面に基づいて説明する。図１〜図７は、本発明の空間光伝送装置を半導体等製造装置の製造ラインに適用し、複数のロードポート（移載部）９において、固定側の固定側光伝送装置１と移動体側（搬送台車８側）の移動側光伝送装置２との間で空間光伝送を行う空間光伝送装置を示している。
【００３５】
この半導体等製造装置の製造ラインは、シリコンウエハー等のワークに対し各種の処理を施す複数の処理部の各々に、図１のように、ロードポート（移載部）９が設けられ、それらのロードポート９の上方に、天井レール８ａが敷設され、天井レール８ａに懸吊されて複数の搬送台車（移動体）８が走行移動し、ワークを収納したＦＯＵＰを、搬送台車８により各ロードポート９に搬送するようになっている。
【００３６】
各ロードポート９は床上に設置され、搬送台車８にはＦＯＵＰを昇降させるための昇降機構が設置され、天井レール８ａを走行し各ロードポート９に達した搬送台車８は、昇降機構を動作させて、ＦＯＵＰ（密閉容器）をロードポート９に下ろし、移載する。このとき、各搬送台車８と各ロードポート９と間で、ＦＯＵＰの移載に伴う、シーケンシャルハンドリング作業用のデータ信号（接点オンオフ信号等）や制御信号の送受信を行うために、ロードポート９に固定側光伝送装置１が設置され、搬送台車８側に移動側光伝送装置２が設けられ、両伝送装置間で空間光伝送が行われる。
【００３７】
各ロードポート９に設置される各々の固定側光伝送装置１は入出力ユニット１０と光伝送ユニット２０とから構成され、入出力ユニット１０は、各ロードポート９に設置される移載制御装置７に各々接続される。移載制御装置７はＰＬＣ等から構成され、予め記憶されたプログラムデータに基づき、ＦＯＵＰ（密閉容器）のシーケンシャルハンドリング作業に必要な制御動作を実行するように構成される。また、移動側光伝送装置２の入出力ユニットは搬送台車８の制御装置に接続される。
【００３８】
固定側光伝送装置１と移動側光伝送装置２は、基本的に同じ構成の入出力ユニット１０と光伝送ユニット２０とからなり、空間光を媒体としてＦＯＵＰの移載に伴うシーケンシャルハンドリングの作業用信号の送受信を行うように、同様に構成されるため、ここでは固定側光伝送装置１の構成について説明し、同様の構成の移動側光伝送装置２については説明を省略する。なお、移動側光伝送装置２においては、入出力ユニットと光伝送ユニットを近接して設置できるため、従来と同様な、入出力ユニットと光伝送ユニットを一体化した空間光伝送装置を設置することができる。
【００３９】
固定側光伝送装置１は、図１に示すように、ロードポート９の移載制御装置７に接続される入出力ユニット１０と、入出力ユニット１０に対しシリアル通信ケーブル３を介して接続される光伝送ユニット２０とから構成される。天井レール８ａに沿って配置された複数のロードポート９の各々に、固定側光伝送装置１が設置されるが、その入出力ユニット１０はロードポート９の下部（床に近い位置）に設置され、その光伝送ユニット２０はロードポート９の上方、つまり入出力ユニット１０とは離れた天井レール８ａの近傍位置に設置される。
【００４０】
そして、ロードポート９の各固定側光伝送装置１の入出力ユニット１０と光伝送ユニット２０は、全て１本のシリアル通信ケーブル３を介して、シリアルバス方式で接続される。このため、各固定側光伝送装置１の入出力ユニット１０と光伝送ユニット２０には、各固定側光伝送装置１について、それらを識別する識別番号（識別符号を含むＩＤ番号）が設定され、各固定側光伝送装置１の入出力ユニット１０と光伝送ユニット２０間で送受信される伝送データ信号には、各々の識別番号が付されてシリアル通信ケーブル３に伝送される。
【００４１】
シリアル通信ケーブル３は、１対の電源線に加えて１対の信号線のみから構成されるため、従来のように、各ロードポートにおいて、固定側光伝送装置の入出力ユニットと光伝送ユニット間に、二十数本の接続線からなるパラレル方式のケーブルを布設する場合に比べ、多数の接続線を有する太径ケーブルを配線する必要がなく、その布設工事や配線作業が簡単化されてその工事を短期間で行うことができ、配線のための設備費や施工費を大きく低減することができる。
【００４２】
固定側光伝送装置１の入出力ユニット１０は、図２に示すように、ＣＰＵ，ＲＯＭ，ＲＡＭを内蔵する所謂ワンチップマイクロコンピュータから構成される主制御部１１を有し、主制御部１１の入力側に、データ信号入出力回路１２、制御信号入力回路１３、及び受光良否信号出力回路１４が接続される。データ信号入出力回路１２は、移載制御装置７から出力されまたは移載制御装置７に入力される、移載動作に必要な接点オンオフ信号などの伝送データ信号を入出力ユニット１０に入出力する回路であり、ロードポート９の移載時に発生する移載開始信号、移載完了信号などのシーケンシャルハンドリング作業用信号を、伝送データ信号として移載制御装置７から入力し、移動側光伝送装置２から送信された伝送データ信号を移載制御装置７に出力する。
【００４３】
図２の制御信号入力回路１３は、移載制御装置７から出力される送信停止信号及び送信優先または受信優先を決める送受信優先信号を入力する回路で、移載制御装置７で動作異常が発生した時などに、光伝送を停止するための送信停止信号を、制御信号入力回路１３を通して主制御部１１に入力する。また、制御信号入力回路１３は、予め設定された送信優先または受信優先を決める送受信優先信号を、移載制御装置７から入力し主制御部１１に送出する。
【００４４】
各固定側光伝送装置１は、通常、受信優先（スレーブ）に設定し、各移動側光伝送装置２は、送信優先（マスター）に設定される。これにより、双方の光伝送ユニットから同時に光伝送開始要求信号が出力されるような場合、送受信のタイミングを調整して光伝送を行うようにし、送信信号の衝突を回避して、半二重の双方向通信を行う。受光良否信号出力回路１４は、光伝送ユニット２０から送られた受光良否信号を移載制御装置７に出力する。光伝送ユニット２０は、移動側光伝送装置２との間で空間光による光伝送を行う間、投光された空間光が遮光などにより受光できない場合、受光不良を示す受光良否信号を発生する。この受光良否信号は入出力ユニット１０を通して受光良否信号出力回路１４に送られ、移載制御装置７に出力される。なお、この受光良否信号は、データ信号入出力回路１２から伝送データ信号を移載制御装置７に出力する際、伝送データ信号の一部ビットに付して送出することができる。
【００４５】
図２のように、主制御部１１には、識別番号（番号、符号を含み、自他を識別するためのＩＤ番号）を設定するための設定スイッチ１９ｂが接続され、各々のロードポート９の固定側光伝送装置１において、その入出力ユニット１０を識別するための識別番号をこの設定スイッチ１９ｂにより予め設定する。識別番号は、例えば、ロードポート９の数がｎ個（ｎは１以上の整数）である場合、１番から順にｎ番を各ロードポート９に設定し、１番のロードポート９の識別番号ｎは「１」、２番のロードポート９の識別番号ｎは「２」、３番のロードポート９の識別番号ｎは「３」のように、アドレスとして設定することができる。なお、主制御部１１には、電源のオンオフ或いは通信動作を表示するために表示灯１９ａが接続される。
【００４６】
さらに、入出力ユニット１０の主制御部１１の入出力ポートには、図２のように、シリアル通信インターフェース１８を介して、シリアル通信ケーブル３が接続され、各固定側光伝送装置１の入出力ユニット１０は、シリアル通信ケーブル３を通して、対になった光伝送ユニット２０との間で、伝送データ信号の送受信を行うようになっている。各固定側光伝送装置１の入出力ユニット１０の主制御部１１は、各移載制御装置７からシーケンシャルハンドリング作業用の接点オンオフ信号の伝送データ信号が、データ信号入出力回路１２を通して入力された場合、その伝送データ信号を含む信号をパケット化し、データパケットとして光伝送ユニット２０に送るデータ作成手段を備えている。
【００４７】
パケットデータは、例えば図４（ａ）に示すように構成され、パケットのヘッダには、送信元と送信先（受信先）の識別番号のデータＩＤとして「０ｎ」「１ｎ」「２ｎ」・・等が挿入され、さらにデータとして接点オンオフ信号などの入出力の伝送データが、データ長と共に挿入され、パケットの末尾には、ＣＲＣ（周期冗長コード）がチェックのため付される。接続開始要求信号、接続開始応答信号、送信停止信号による入力割り込み、時刻データ、ログデータなども、データとしてパケット化される。各固定側光伝送装置１の入出力ユニット１０と光伝送ユニット２０は、同じ固定側光伝送装置１内でのみ信号の送受信を行うため、送信元と送信先（受信先）の識別番号は「０ｎ」「１ｎ」「２ｎ」・・・のように、共通化して設定することができる。
【００４８】
図４（ｂ）はデータパケットのヘッダに付すデータＩＤと送受信する入出力ユニット１０または光伝送ユニット２０の割り当て及びデータ内容の一例を示している。図４（ｂ）において、光ｎはアドレスｎに設定された光伝送ユニット２０、Ｉ／Ｏｎはアドレスｎに設定された入出力ユニット１０、ＬＯＧはロギング装置６、ＩＤはデータＩＤ，ＣＭＤは接続コマンド・応答コード、ＯＰＴ−ＩＤＬは光伝送ユニットの個別ＩＤの下位バイト、ＯＰＴ−ＩＤＨは光伝送ユニットの個別ＩＤの上位バイト、Ｉ／０−ＩＤＬは入出力ユニットの個別ＩＤの下位バイト、Ｉ／Ｏ−ＩＤＨは入出力ユニットの個別ＩＤの上位バイトを示している。なお、ＣＴＲＬは送信停止信号、ＳＴＡＴＵＳは遮光した際に光伝送ユニット２０から出力される遮光信号（エラー信号）である。
【００４９】
この図４（ｂ）の例では、データＩＤが「０ｎ」の場合、接続の中断信号の出力を示し、データＩＤが「１ｎ」の場合、入出力ユニット１０から光伝送ユニット２０にデータを送信し、データに送信停止信号が付されて送信される場合を示す。なお、送信停止信号の発生時には入力割り込み信号としてデータが入出力ユニット１０から出力され、直ちに送信停止信号が光伝送ユニット２０に送信されるようになっている。
【００５０】
一方、データＩＤが「３ｎ」の場合、光伝送ユニット２０から入出力ユニット１０にデータを送信し、出力データに遮光信号が付されて送信される場合を示す。また、データＩＤが「４ｎ」の場合、入出力ユニット１０から光伝送ユニット２０にデータを送信し、通信を開始する際の接続要求信号が送信元または送信先を示す光伝送ユニット及び入出力ユニットの個別ＩＤと共に送信される場合である。また、データＩＤが「５ｎ」の場合、光伝送ユニット２０から入出力ユニット１０にデータを送信し、通信を開始する際の接続要求信号が送信元または送信先を示す光伝送ユニット及び入出力ユニットの個別ＩＤと共に送信される場合である。
【００５１】
さらに、データＩＤが「６ｎ」の場合、ロギング装置６から入出力ユニット１０にロギング制御データを送信する場合であり、データＩＤが「７ｎ」の場合、ロギング装置６から光伝送ユニット２０にロギング制御データを送信する場合である。また、データＩＤが「６Ｆ」の場合、入出力ユニット１０からロギング装置６にロギング制御応答信号を送信する場合であり、データＩＤが「７Ｆ」の場合、光伝送ユニット２０からロギング装置６にロギング制御応答信号を送信する場合である。
【００５２】
一方、入出力ユニット１０の主制御部１１には、図２のように、ロギング処理のためにＥＥＰＲＯＭ等の不揮発性メモリ１５とリアルタイム発生用のクロック回路１６が接続され、伝送データ信号、送受信優先信号、送信停止信号、受光良否信号等の信号が変化したとき、その信号を時刻と共にログデータとして記憶し、所定量のログデータを繰り返し上書き保存するようになっている。この入出力ユニット１０の不揮発性メモリ１５に記憶されたログデータは、後述のロギング装置６に接続されたパーソナルコンピュータＰＣ（データ解析手段）を通して読み出し要求があったとき、入出力ユニット１０の不揮発性メモリ１５から読み出され、シリアル通信ケーブル３を通してロギング装置６に取り込まれ、パーソナルコンピュータＰＣに送られる。
【００５３】
なお、入出力ユニット１０の電源については、移載制御装置７から供給される電源を、入出力ユニット１０に供給し、シリアル通信ケーブル３を通して、各ロードポート９の光伝送ユニット２０に供給し、全てのロードポート９の固定側光伝送装置１に電源供給を行うように構成される。これにより、多数のロードポート９が設置される場合でも、各ロードポート９毎に入出力ユニット１０の主制御部１１間で電源ケーブルを布設する従来の方式に比べ、シリアル通信ケーブル３のみの布設により、配線工事を非常に簡単化することができる。
【００５４】
一方、固定側光伝送装置１の光伝送ユニット２０は、図３に示すように、主制御部２５を主要部として構成され、主制御部２５は、ＣＰＵ，ＲＯＭ，ＲＡＭを備え、ワンチップマイクロコンピュータなどから構成される。光伝送ユニット２０の主制御部２５は、対となる上記入出力ユニット１０から、シリアル通信ケーブル３を通して送信されたデータパケット（伝送データ信号、送受信優先信号、送信停止信号などを含むパケットデータ）を、シリアル通信インターフェース２８を介して入力し、空間光伝送による送信を行うためにデータ信号を変調回路２６に出力する一方、主制御部２５は、移動側光伝送装置２から空間光伝送により送られたデータ信号を、受光器２１、受光回路２３、復調回路２７を通して入力し、さらに、受信したデータ信号を、シリアル通信インターフェース２８を通してシリアル通信ケーブル３に送出し、固定側光伝送装置１の入出力ユニット１０に送信するようになっている。
【００５５】
図３に示すように、変調回路２６は、主制御部２５の出力ポートに接続され、主制御部２５から出力されたパケットデータをＦＳＫなどの変調方式により、所定周波数の搬送波を用いて変調し、変調信号を投光回路２４に出力する。投光回路２４は、近赤外発光ダイオードからなる投光器２２を投光駆動するように構成され、変調回路２６からデータの変調信号を入力し、投光器２２の駆動電流に変調信号を印加して投光器２２を駆動することにより、投光器２２が放射する空間光に変調信号を重畳させ、移動側光伝送装置２の受光器に向けて空間光を照射して送信する。
【００５６】
また、主制御部２５の入力ポートには、復調回路２７が接続され、移動側光伝送装置２の投光器から投光される空間光を、フォトダイオードからなる受光器２１が受光し、受光器２１から出力される受光信号を受光回路２３が入力して増幅し、増幅された受光信号を復調回路２７に入力するように構成される。復調回路２７は、入力した受光信号をＦＭ検波などし、搬送波を除去して復調して、パケットデータを取り出し、主制御部２５が受信したデータを取り込むようになっている。
【００５７】
図３のように、主制御部２５には、識別番号（ＩＤ）を設定するための設定スイッチ２９ｂが接続され、各々のロードポート９の固定側光伝送装置１において、その光伝送ユニット２０を識別するための識別番号をこの設定スイッチ２９ｂにより予め設定する。上述のように、各固定側光伝送装置１の入出力ユニット１０と光伝送ユニット２０は、同じ固定側光伝送装置１内でのみ信号の送受信を行うため、送信元と送信先（受信先）の識別番号は共通符号として上記のように設定される。なお、主制御部２５には、光伝送ユニット２０の電源のオンオフ状態或いは通信状態を表示する表示灯２９ａが接続されている。
【００５８】
さらに、主制御部２５の入出力ポートには、図３のように、シリアル通信インターフェース２８を介して、シリアル通信ケーブル３が接続され、各固定側光伝送装置１の光伝送ユニット２０は、シリアル通信ケーブル３を通して、対になった入出力ユニット１０との間で、伝送データ信号の送受信を行う。各固定側光伝送装置１の光伝送ユニット２０は、移動側光伝送装置２から空間光伝送により送信される伝送データ信号、例えばシーケンシャルハンドリング作業用の接点オンオフ信号を受光回路２３、復調回路２７等を通して取り込み、その伝送データ信号を、シリアル通信ケーブル３を通して入出力ユニット１０に送信するが、上記入出力ユニット１０と同様、その伝送データ信号をパケット化し、データパケットとして送るデータ作成手段を備えている。
【００５９】
主制御部２５には、ＩＤを設定するための設定スイッチ２９ｂが接続され、各々のロードポート９の固定側光伝送装置１において、その光伝送ユニット２０を識別するための識別番号（ＩＤ）が設定スイッチ２９ｂにより予め設定されるが、その識別番号は、対となった入出力ユニット１０の識別番号と同じ符号となり、例えばｎ番（ｎは１以上の整数）のロードポート９の場合、この光伝送ユニット２０の識別番号は「ｎ」と設定スイッチ２９ｂにより設定される。
【００６０】
なお、上述のように、この識別番号ｎは各固定側光伝送装置１の入出力ユニット１０または光伝送ユニット２０のアドレスとして設定され、データパケットのヘッドに付すデータＩＤは、図４（ｂ）の図表に示すように、送信信号、送信元、送信先などに応じて「０ｎ〜７ｎ」に割り振られて設定されることとなる。また、図４（ｂ）における送信ユニットは信号送信側の入出力ユニット１０または光伝送ユニット２０を示し、受信ユニットは信号受信側の入出力ユニット１０または光伝送ユニット２０を示し、Ｉ／Ｏｎは識別番号ｎの入出力ユニット１０、光ｎは識別番号ｎの光伝送ユニット２０を示す。
【００６１】
図１に示すように、シリアル通信ケーブル３には、１台のロギング装置６が接続される。上述のように、各ロードポート９の固定側光伝送装置１の入出力ユニット１０は、伝送データ信号、送受信優先信号、送信停止信号、受光良否信号を監視し、それらの信号が変化したとき、変化した信号をその時刻と共にログデータとして、不揮発性メモリ１５に記憶する。
【００６２】
このため、送信停止信号、受光不良信号などの発生時、ロードポート９の移載動作に異常が発生した場合、ロギング装置６は、シリアル通信ケーブル３を通してロギング用のコマンドを各ロードポート９の入出力ユニット１０に送信し、各入出力ユニット１０の不揮発性メモリ１５に記憶されたログデータを読み出し、さらにシリアル通信ケーブル３を通してログデータを取り込み、各ロードポート９のログデータをパーソナルコンピュータＰＣに送出するようになっている。
【００６３】
このようなロギング装置６は、図５に示す如く、ＣＰＵ，ＲＯＭ，ＲＡＭを内蔵する所謂ワンチップマイクロコンピュータから構成される主制御部３１を有し、主制御部３１の入出力ポートに、シリアル通信インターフェース３８、ＵＳＢインターフェース３４、不揮発性メモリ３５、クロック回路３６、表示灯３９ａ及び設定スイッチ３９ｂを接続して構成される。
【００６４】
シリアル通信インターフェース３８には、シリアル通信ケーブル３が接続され、ＵＳＢインターフェース３４にはログデータ解析手段となるパーソナルコンピュータＰＣが接続される。ロギング装置６の主制御部３１は、パーソナルコンピュータＰＣからログデータ取出用のコマンドを、各ロードポート９の識別番号ＩＤを指定して入力したとき、シリアル通信インターフェース３８を通してシリアル通信ケーブル３に、ログデータ要求のコマンドを出力し、各入出力ユニット１０からログデータを送信させて、取り込むように構成される。
【００６５】
さらに、主制御部３１には、図５のように、伝送データ信号の伝送状態を表示するデータ信号表示灯３３ａが接続され、各ロードポート９の固定側光伝送装置１における光伝送ユニット２０の送信優先または受信優先を示す送受信優先信号の状態及び入出力ユニット１０に入力される送信停止信号の状態を表示する制御信号表示灯３３ｂが接続され、さらに、光伝送ユニット２０の受光状態が遮光された場合などに受光不良信号を発生させる受光良否信号表示灯３３ｃが接続されている。なお、主制御部３１に接続された表示灯３９ａは、ロギング装置６の電源のオンオフまたは通信データの表示用である。
【００６６】
また、主制御部３１には、リアルタイムをカウントするクロック回路３６が接続される。主制御部３１は、入出力ユニット１０に対し、シリアル通信ケーブル３を通して時刻データを送信する時刻送信手段を有し、所定時間ごとに時刻データを、各ロードポート９の固定側光伝送装置１の入出力ユニット１０に対し配信し、各入出力ユニット１０の時刻用のクロック回路１６が配信された時刻データに基づき同期して動作するようになっている。
【００６７】
図１に示すように上述の如く、各ロードポート９は製造ラインに沿って配置され、これらのロードポート９には、各々固定側光伝送装置１が設置され、各固定側光伝送装置１の入出力ユニット１０と光伝送ユニット２０は、全て１本のシリアル通信ケーブル３を介して、シリアルバス方式で接続される。各固定側光伝送装置１の入出力ユニット１０は各ロードポート９の移載制御装置７に接続され、各各固定側光伝送装置１の光伝送ユニット２０は、その位置に移動した移動側光伝送装置２の光伝送ユニットに対し対向可能とされ、空間光を介して光通信を可能に設置される。また、各固定側光伝送装置１にはそれらを識別する識別番号ｎ（ｎは１以上の整数）が全ての固定側光伝送装置１について１から順にｎまで設定され、各固定側光伝送装置１の入出力ユニット１０において、設定スイッチ１９ｂにより識別番号ｎがセットされる。
【００６８】
次に、上記構成の空間光伝送装置の動作を、図６，７を参照して説明すると、例えば、固定側光伝送装置１の入出力ユニット１０と光伝送ユニット２０間でデータの送受信を開始する場合、図６に示すように、先ず、光伝送ユニット２０と通信相手の入出力ユニット１０との接続処理を行い、次にデータの送受信を行う。
【００６９】
すなわち、図６のように、先ず光伝送ユニット２０からシリアル通信ケーブル３に接続要求信号が出力される。この接続要求信号のデータパケットのヘッドには、識別番号ｎの入出力ユニット１０と光伝送ユニット２０間で光伝送ユニット２０から入出力ユニット１０に信号を送信する場合を示す「５ｎ」を、データヘッドに付して送信する。シリアル通信ケーブル３の信号を受信する入出力ユニット１０は、この接続要求信号のデータヘッドの「５ｎ」を検出して、光伝送ユニット２０から自己に宛てた接続要求信号であると認識し、接続要求信号の受信処理を行う。
【００７０】
次に、入出力ユニット１０は、この接続要求信号に応答するように、接続応答信号をシリアル通信ケーブル３に出力する。この接続応答信号のデータパケットのヘッドには、識別番号ｎの入出力ユニット１０と光伝送ユニット２０間で入出力ユニット１０から光伝送ユニット２０に信号を送信する場合を示す「４ｎ」を、データヘッドに付して送信する。シリアル通信ケーブル３の信号を受信する入出力ユニット１０は、この接続応答信号のデータヘッドの「４ｎ」を検出して、光伝送ユニット２０から自己に宛てた接続応答信号であると認識し、接続応答信号の受信処理を行い、この動作により光伝送ユニット２０と入出力ユニット１０間が接続状態となる。
【００７１】
この状態で、固定側光伝送装置１と移動側光伝送装置２との間で空間光によるデータの光伝送が行われ、固定側光伝送装置１の光伝送ユニット２０と移動側光伝送装置２の光伝送ユニットとの間で、移載制御装置７から搬送台車８へのシーケンシャルハンドリング信号等のデータの送信、或いは搬送台車８から移載制御装置７へのシーケンシャルハンドリング信号等のデータの送信が実施される。
【００７２】
そして、データの光伝送が完了する所定時間毎に、図６に示すように、例えば、光伝送ユニット２０からデータ信号が制御信号と共にデータパケット化されてシリアル通信ケーブル３に送信される。このとき、識別番号ｎの入出力ユニット１０と光伝送ユニット２０間で光伝送ユニット２０から入出力ユニット１０にデータ信号を送信する場合を示す「３ｎ」を、データパケットのヘッドに付して送信する。このとき、シリアル通信ケーブル３の信号を受信する入出力ユニット１０は、このデータパケットのデータヘッドの「３ｎ」を検出して、光伝送ユニット２０から自己に宛てたデータ信号であると認識し、このデータ信号の受信処理を行う。
【００７３】
次に、入出力ユニット１０は、移載制御装置７から送られた制御信号を含むデータ信号を、光伝送ユニット２０に送信する。このとき、入出力ユニット１０は、識別番号ｎの入出力ユニット１０と光伝送ユニット２０間で入出力ユニット１０から光伝送ユニット２０にデータ信号を送信する場合を示す「２ｎ」を、データパケットのヘッドに付してシリアル通信ケーブル３に送信する。
【００７４】
シリアル通信ケーブル３の信号を受信する光伝送ユニット２０は、このデータパケットのデータヘッドの「２ｎ」を検出して、入出力ユニット１０から自己に宛てたデータ信号であると認識し、このデータ信号の受信処理を行う。
【００７５】
一方、例えば、移載制御装置７から送信停止信号が入出力ユニット１０に出力された場合など、制御信号が変化した場合、図６の下段に示す如く、入出力ユニット１０は、識別番号ｎの入出力ユニット１０と光伝送ユニット２０間で入出力ユニット１０から光伝送ユニット２０に制御信号を送信する場合を示す「１ｎ」を、データパケットのヘッドに付して送信する。
【００７６】
このような送信停止信号（制御信号）の発生時には、緊急を要するため、入力割り込み信号により割り込み処理として入出力ユニット１０から光伝送ユニット２０に直ちに制御信号が送信され、シリアル通信ケーブル３の信号を受信する光伝送ユニット２０は、このデータパケットのデータヘッドの「１ｎ」を検出して、入出力ユニット１０から自己に宛てた制御信号であると認識し、この制御信号の受信処理を直ちに行う。
【００７７】
一方、複数の固定側光伝送装置１に誤って同じ認識符号ｎが設定された場合、或いは誤動作によりデータヘッドに誤ったデータＩＤが付されたような場合、同時に同じ送信元の接続要求信号などが重複してシリアル通信ケーブル３に出力されるが、この場合には、図７に示すように、重複して接続要求信号などを送信した入出力ユニット１０または光伝送ユニット２０がその重複を検出し、中断信号（アボート信号）をシリアル通信ケーブル３に送信して、通信処理を中断し、所定時間後に接続要求信号などを送信するようにして、送信信号の衝突を回避する。
【００７８】
すなわち、図７に示すように、識別番号ｎの光伝送ユニット２０から及び識別番号ｎ＋１の光伝送ユニット２０から同時にシリアル通信ケーブル３に接続要求信号が出力され、識別番号ｎ＋１の光伝送ユニット２０から誤って識別番号ｎの光伝送ユニット２０のデータＩＤと同じ「５ｎ」を付した信号が出力された場合、識別番号ｎの光伝送ユニット２０と識別番号ｎ＋１の光伝送ユニット２０は、シリアル通信ケーブル３上に自己と同じデータＩＤを付した信号が存在することを検知し、重複して接続要求信号が送信されたことを認識する。このとき、識別番号ｎの光伝送ユニット２０と識別番号ｎ＋１の光伝送ユニット２０は、シリアル通信ケーブル３に中断信号を出力して、接続要求処理を中断し、この中断信号は識別番号ｎの光伝送ユニット２０及び識別番号ｎ＋１の光伝送ユニット２０において受信され、接続要求信号の送信先の入出力ユニット１０においても、この中断信号が受信される。
【００７９】
このとき、接続要求信号の送信先の入出力ユニット１０では、応答処理が中止され、識別番号ｎの光伝送ユニット２０及び識別番号ｎ＋１の光伝送ユニット２０では、接続処理を所定時間中断し、上記のような接続要求処理を繰り返すこととなる。
【００８０】
このように、同じ送信元を示す識別番号の信号が重複して送信された場合、重複接続要求信号等を送信した入出力ユニット１０または光伝送ユニット２０がその重複を検出し、中断信号（アボート信号）を送信して通信処理を中断し、所定時間後に接続要求信号などを送信するので、送信信号の衝突を回避することができる。
【００８１】
このように、固定側光伝送装置１の光伝送ユニット１０と移動側光伝送装置２の光伝送ユニット間で空間光による光通信が行われ、移載制御装置７から搬送台車８へのシーケンシャルハンドリング信号等のデータの送信、或いは搬送台車８から移載制御装置７へのシーケンシャルハンドリング信号等のデータの送信が、各々のロードポート９において実施されるが、各ロードポート９の各固定側光伝送装置の入出力ユニット１０と光伝送ユニット２０間では、１本のシリアル通信ケーブル３を通してデータ信号の送受信が実施され、送信元と送信先（受信先）を示す識別番号（データＩＤ）を付したデータパケットにより通信を行うため、簡単な１本の小径ケーブルの布設のみで、誤りのない正確なデータ信号の伝送を行うことができる。
【００８２】
図８、図９は他の実施形態の空間光伝送装置を示している。上記実施形態では、各ロードポート９の固定側光伝送装置１の入出力ユニット１０と光伝送ユニット２０に、予め個別の識別番号（１からｎ）を設定スイッチ１９ｂ、２９ｂにより設定しておき、各固定側光伝送装置１の入出力ユニット１０または光伝送ユニット２０は、各入出力ユニット１０または各光伝送ユニット２０の識別番号と同じ識別番号の伝送データ信号を、シリアル通信ケーブルから取り込むようにして、同じ固定側光伝送装置１の入出力ユニット１０と光伝送ユニット２０間でのみ通信を行うように構成した。これに対し、本実施形態の空間光伝送装置では、例えば、ロードポート９Ａに搬送装置が増設されて、移動側光伝送装置２Ａと固定側光伝送装置１の光伝送ユニット２０Ａが増設されたような場合、或いは異なる固定側光伝送装置１の入出力ユニット１０と光伝送ユニット２０間で通信を行う必要性が生じた場合を想定し、通信相手を容易に変更して通信を行うことができるようにしている。
【００８３】
すなわち、図８に示すように、例えば新たな天井レール８ｂ上を走行する搬送台車８Ａが設置され、その搬送台車８Ａ上の移動側光伝送装置２Ａと空間光伝送を行う固定側光伝送装置の光伝送ユニット２０Ａとが増設された場合、相互の通信相手を指定する通信チャンネル用データの簡単な変更により、新たな光伝送ユニット２０Ａと既設の固定側光伝送装置１の入出力ユニット１０間で、シリアル通信ケーブル３を通して通信が可能となるように構成される。
【００８４】
シリアル通信ケーブル３には、上記ロギング装置６に通信チャンネルの設定機能を付加した構成のロギング兼通信制御装置６Ａが接続される。ロギング兼通信制御装置６Ａは、上記ロギング装置６と同様、図５に示す如く、ＣＰＵ，ＲＯＭ，ＲＡＭを内蔵する所謂ワンチップマイクロコンピュータから構成される主制御部３１を有し、主制御部３１の入出力ポートに、シリアル通信インターフェース３８、ＵＳＢインターフェース３４、不揮発性メモリ３５、クロック回路３６、表示灯３９ａ及び設定スイッチ３９ｂを接続して構成される。シリアル通信インターフェース３８には、シリアル通信ケーブル３が接続され、ＵＳＢインターフェース３４にはログデータの解析や通信チャンネルの設定を行うパーソナルコンピュータＰＣが接続可能である。
【００８５】
このように、シリアル通信ケーブル３に接続されるロギング兼通信制御装置６Ａは、上記ロギング装置６と同様、シリアル通信ケーブル３を通して伝送データ信号、送受信優先信号、送信停止信号、受光良否信号を取り込むように動作し、外部からログデータの読み出し要求があったとき、入出力ユニット１０の不揮発性メモリ１５から読み出されたログデータを、シリアル通信ケーブル３を通して取り込み、外部のＰＣ等のログデータ解析手段に送出する。
【００８６】
さらに、ロギング兼通信制御装置６Ａのメモリには、図９に示すような通信チャンネル用データテーブルが予め記憶される。この通信チャンネル用データテーブルには、図９（ａ）に示すように、入出力ユニットと光伝送ユニット間で通信が可能な通信チャンネルが設定される。各通信チャンネルには、例えば各ロードポート９の各固定側光伝送装置１に設定した識別番号１〜ｎと同じ番号で、通信チャンネル番号（１〜ｎ）が付され、各通信チャンネル番号について、相互に通信を行う通信相手として入出力ユニット１０と光伝送ユニット２０または光伝送ユニット２０Ａが設定され、通信チャンネル用データテーブルには図９（ａ）のように、その入出力ユニット識別番号と光伝送ユニット識別番号が設定される。
【００８７】
つまり、図９（ａ）のように、各固定側光伝送装置１の入出力ユニット１０と光伝送ユニット２０には、予め設定スイッチ１９ｂ、２９ｂ（図２，３）によって、各々、入出力ユニット識別番号（０〜７）、光伝送ユニット識別番号（８〜１５）が設定され、例えば、通信チャンネル（１）は、入出力ユニット識別番号（０）の入出力ユニット１０と光伝送ユニット識別番号（８）の光伝送ユニット２０間の通信を行うチャンネルとして設定される。また、通信チャンネル（２）は、入出力ユニット識別番号（１）の入出力ユニット１０と光伝送ユニット識別番号（９）の光伝送ユニット２０間の通信を行うチャンネル、通信チャンネル（３）は、入出力ユニット識別番号（２）の入出力ユニット１０と光伝送ユニット識別番号（１０）の光伝送ユニット２０間の通信を行うチャンネルのように設定される。ここで、各固定側光伝送装置１の入出力ユニット１０と光伝送ユニット２０には、それらの設置されるロードポート９に付された識別番号１〜ｎが通信チャンネル番号として設定され、基本的には、上記と同様に、同じロードポート９の固定側光伝送装置１において、入出力ユニット１０と光伝送ユニット２０間で通信が行われる。
【００８８】
一方、図８に示すように、例えば、ロードポート９Ａに搬送台車８Ａが増設されて、その搬送台車８Ａ上の移動側光伝送装置２Ａと固定側光伝送装置１の光伝送ユニット２０Ａが新たに増設され、入出力ユニット１０と光伝送ユニット２０Ａ間で通信を行う場合、その光伝送ユニット２０Ａには設定スイッチ２９ｂ（図３）によって光伝送ユニット識別番号（１６）が設定され、通信チャンネル（１）は、入出力ユニット識別番号（０）の入出力ユニット１０と光伝送ユニット識別番号（１６）の光伝送ユニット２０Ａ間の通信を行うチャンネルとして、図９（ｂ）に示すように、書き換えられる。
【００８９】
このような設備の増設に伴う通信チャンネルの変更は、ロギング兼通信制御装置６Ａに、パーソナルコンピュータＰＣを、図５に示すように、ＵＳＢインターフェース３４を介して接続し、パーソナルコンピュータＰＣの操作により、ロギング兼通信制御装置６Ａ内のメモリの通信チャンネル用データテーブルを、図９（ｂ）のように、書き換えることにより、容易に行うことができる。
【００９０】
次に、上記構成の空間光伝送装置の動作を説明すると、各固定側光伝送装置１の入出力ユニット１０、光伝送ユニット２０または光伝送ユニット２０Ａは、その電源の投入時、先ず、入出力ユニット１０、光伝送ユニット２０または光伝送ユニット２０Ａから、シリアル通信ケーブル３に通信チャンネルの問合せ信号を出力し、通信可能な通信チャンネルをロギング兼通信制御装置６Ａに対し問い合わせる。
【００９１】
この際、各入出力ユニット１０、光伝送ユニット２０または光伝送ユニット２０Ａは、データパケットを作成して出力するが、そのパケットのヘッダには、各送信元の識別番号及び送信先（受信元のロギング兼通信制御装置６Ａ）の識別番号が付され、通信チャンネルの問合せ信号がシリアル通信インターフェース１８，２８を通してシリアル通信ケーブル３に出力され、このデータパケットはシリアル通信ケーブル３を通してロギング兼通信制御装置６Ａに受信され取り込まれる。
【００９２】
ロギング兼通信制御装置６Ａは、この通信チャンネルの問合せ信号を、シリアル通信ケーブル３を通して取り込むと、メモリに記憶される図９（ａ）または図９（ｂ）の通信チャンネル用データテーブルを参照し、問い合わせのあった入出力ユニット１０、光伝送ユニット２０または光伝送ユニット２０Ａの識別番号を含む通信チャンネルを検索する。例えば、設定スイッチにより識別番号「０」に設定された入出力ユニット１０からの通信チャンネルの問い合わせの場合、ロギング兼通信制御装置６Ａは、識別番号「０」の入出力ユニット１０に対応した通信チャンネル（１）を回答信号として、識別番号「０」の入出力ユニット１０宛てに、通信チャンネル（１）のデータを付したデータパケットを送信する。
【００９３】
また、例えば、増設された光伝送ユニット２０Ａからの問い合わせの場合、光伝送ユニット２０Ａには光伝送ユニット識別番号（１６）が設定されるため、ロギング兼通信制御装置６Ａは、変更された図９（ｂ）のデータテーブルを参照して、光伝送ユニット２０Ａに対応した通信チャンネル（１）を回答信号として、増設された光伝送ユニット２０Ａに送信する。
【００９４】
回答信号として通信チャンネル（１）を受信した入出力ユニット１０、光伝送ユニット２０または光伝送ユニット２０Ａは、それを自己が使用可能な通信チャンネル（１）のデータとして取り込み、ロードポート９Ａの固定側光伝送装置１では、識別番号（０）の入出力ユニット１０と識別番号（１６）の光伝送ユニット２０Ａ間で通信チャンネル（１）を用いて通信を行うこととなる。
【００９５】
すなわち、例えば、光伝送ユニット２０Ａが通信を開始する場合、光伝送ユニット２０Ａからシリアル通信ケーブル３に接続要求信号が出力され、この接続要求信号のデータパケットのヘッドには、上記実施形態と同様に、識別番号ｎの入出力ユニット１０と光伝送ユニット２０Ａ間で光伝送ユニット２０Ａから入出力ユニット１０に信号を送信する場合を示す「５ｎ」を、データヘッドに付して送信する。
【００９６】
シリアル通信ケーブル３の信号を受信する入出力ユニット１０は、この接続要求信号のデータヘッドの「５ｎ」を検出して、光伝送ユニット２０Ａから自己に宛てた接続要求信号であると認識し、接続要求信号の受信処理を行う。この後、接続要求信号に応答する接続応答信号のパケットデータが識別番号ｎの入出力ユニット１０において作成され、この接続応答信号がシリアル通信ケーブル３に出力され、接続応答信号が光伝送ユニット２０Ａで受信され、入出力ユニット１０と光伝送ユニット２０Ａ間が接続状態となる。この状態で、入出力ユニット１０と光伝送ユニット２０Ａ間でシーケンシャルハンドリング信号等のデータの送受信が行われることとなる。
【００９７】
このように、ロギング兼通信制御装置６Ａのメモリには、予め通信チャンネルに関するデータが書き換え可能に格納され、各固定側光伝送装置１の入出力ユニット１０及び光伝送ユニット２０は、通信を行う前（例えば電源投入時）に、ロギング兼通信制御装置６Ａから自己が使用可能な通信チャンネルに関するデータを取り込み、入出力ユニット１０と光伝送ユニット２０が通信を行う際、その通信チャンネルを使用して、通信を行うので、図８に示すように、搬送台車８Ａが増設され、光伝送ユニット２０Ａが増設されたような場合、ロギング兼通信制御装置６Ａに記憶された通信チャンネルに関するデータ（図９の通信チャンネル用データテーブル）を書き換えて、容易に且つ迅速に対応することができる。
【００９８】
なお、上記実施形態では、半導体等製造装置の製造ラインの各ロードポート９に空間光伝送装置を適用した場合を説明したが、他の製造ラインなどにおける複数の移載部に、本発明の空間光伝送装置を適用することもできる。
【符号の説明】
【００９９】
１      固定側光伝送装置
２      移動側光伝送装置
３      シリアル通信ケーブル
６      ロギング装置
６Ａ    ロギング兼通信制御装置
７      移載制御装置
８      搬送台車
８ａ    天井レール
９      ロードポート
１０    入出力ユニット
１１    主制御部
１２    データ信号入出力回路
１３    制御信号入力回路
１４    受光良否信号出力回路
１５    不揮発性メモリ
１６    クロック回路
１７    電源回路
１８    シリアル通信インターフェース
１９ａ  表示灯
１９ｂ  設定スイッチ
２０    光伝送ユニット
２１    受光器
２２    投光器
２３    受光回路
２４    投光回路
２５    主制御部
２６    変調回路
２７    復調回路
２８    シリアル通信インターフェース
２９ｂ  設定スイッチ
３１    主制御部
３３ａ  データ信号表示灯
３３ｂ  制御信号表示灯
３３ｃ  受光良否信号表示灯
３４    ＵＳＢインターフェース
３５    不揮発性メモリ
３６    クロック回路
３８    シリアル通信インターフェース
３９ｂ  設定スイッチ
【図１】
0005676294.tif 000002
【図２】
0005676294.tif 000003
【図３】
0005676294.tif 000004
【図４】
0005676294.tif 000005
【図５】
0005676294.tif 000006
【図６】
0005676294.tif 000007
【図７】
0005676294.tif 000008
【図８】
0005676294.tif 000009
【図９】
0005676294.tif 000010
【図１０】
0005676294.tif 000011